(57)【要約】【課題】図柄を立体的に見せて装飾性に優れた外観をもたらし、付箋やラベルとしても有効に使用することができる粘着シートを提供する。【解決手段】裏面に粘着部を備えたシート基材１に、図柄の外形に沿った切り込み４を形成し、シート基材１を裏面側に折り込み、あるいは、裏面側に湾曲させて、切り込み４で囲まれた図柄部分３を起き上がらせるように構成してある【選択図】図２
2016011349.tif 000002
【特許請求の範囲】
【請求項１】
裏面に粘着部を備えたシート基材に、図柄の外形に沿った切り込みを形成し、
シート基材を裏面側に折り込み、あるいは、裏面側に湾曲させて、前記切り込みで囲まれた図柄部分を起き上がらせる、
ことを特徴とする粘着シート。
【請求項２】
対向する一対の前記切り込みを、間隔をもって形成している、
請求項１に記載の粘着シート。
【請求項３】
対向配置された一対の前記切り込みの間に形成する前記間隔を、基材を折り込み可能な小寸法に設定している、
請求項２に記載の粘着シート。
【請求項４】
前記粘着部を前記基材の裏面全体に備えている、
請求項１ないし３のいずれかに記載の粘着シート。
【請求項５】
前記図柄を形成する前記切り込みを一定ピッチで備えた長尺の原反シートから前記一定ピッチずつ切断して前記シート基材が得られる、
請求項１ないし４のいずれかに記載の粘着シート。
【請求項６】
前記シート基材が、剥離台紙から剥離して得られる、
請求項１ないし４のいずれかに記載の粘着シート。
【請求項７】
基材シートの裏面に剥離台紙を貼り付けた粘着シートの製造方法であって、
シート基材原紙を剥離台紙に貼り合せる工程と、
シート基材の外形の両端部及び前記シート基材の表面の図柄の外形に沿った切り込みを、ハーフカット加工によって形成する工程と、
シート基材原紙と剥離台紙とに亘るフルカット加工を行って、シート基材の外形の両端部を除く部位を形成する工程と、
前記フルカット加工に沿って不要部分を除去して梯子形に打ち抜いた剥離台紙の各横桟部位と両脇の縦桟部位に亘って各シート基材を貼り付け保持した粘着シートを得る工程と、
を含むことを特徴とする粘着シートの製造方法。
【発明の詳細な説明】
【技術分野】
【０００１】
本発明は、付箋やラベルとして好適に使用することのできる粘着シート及びその製造方法に関する。
【背景技術】
【０００２】
従来の付箋としては、例えば特許文献１に示されているように、動物キャラクタなどの外形に沿った形状に裁断して、書類に貼付け添付した際に動物キャラクタの一部が露出するようにして、装飾性を高めたものが提案されている。
【先行技術文献】
【特許文献】
【０００３】
【特許文献１】特開２００５−３０５７５４号公報
【発明の概要】
【発明が解決しようとする課題】
【０００４】
提案されている付箋は、平面状態で貼付けられるだけであるために、動物キャラクタも平面的に露出するだけであり、装飾性が不十分であった。
【０００５】
本発明は、このような実情に着目してなされたものであって、図柄を立体的に見せて装飾性に優れた外観をもたらし、付箋やラベルとしても有効に使用することができる粘着シート及びその製造方法を提供することを目的とする。
【課題を解決するための手段】
【０００６】
上記目的を達成するために、本発明では、次のように構成している。
【０００７】
（１）本発明に係る粘着シートは、裏面に粘着部を備えたシート基材に、図柄の外形に沿った切り込みを形成し、シート基材を裏面側に折り込み、あるいは、裏面側に湾曲させて、前記切り込みで囲まれた図柄部分を起き上がらせるようしている。
【０００８】
本発明によると、シート基材を裏面側に折り込むことで、一対の脚部を備えた山形になると共に、シート基材の折込みに伴って、切り込みで囲まれた図柄部分は、折込み作用を受けることがないので起き上がらせることができる。この図柄を、例えば、動物、昆虫、草花、などとすることで、頂部に図柄部分が立体的に突出した装飾性の高い立体構造の付箋やラベルが構成される。そして、山形に折られた両脚部の端部を、裏面の粘着層を介して対象物に貼付けると共に、脚部の外表面にメモやメッセージなどを記入しておくことで、目につきやすく、かつ、趣向に富んだ付箋として活用することができる。
【０００９】
また、瓶などの包装容器や商品陳列棚などの対象物にシート基材を貼着することによっても切り込みで囲まれた図柄部分が対象物から浮き上がることになる。従って、浮き上がった図柄部分が目立ちやすく、装飾性に優れると共に、アイキャッチ効果の高い立体的なラベルとして有効に利用できる。
【００１０】
（２）本発明の好ましい実施態様では、対向する一対の前記切り込みを、間隔をもって形成している。
【００１１】
この実施態様によると、図柄部分を、左右対称な形状の鳥、蝶、花、動物の顔、などをモチーフとした装飾性の高いものにすることができる。
【００１２】
（３）上記（２）の実施態様では、対向配置された一対の前記切り込みの間に形成する前記間隔を、基材を折り込み可能な小寸法に設定してもよい。
【００１３】
この実施態様によると、シート基材を間隔部位において折り込むことで、図柄部分はシート基材との繋がりが極めて小さい状態で起き上がることになり、図柄部分の浮き上がりが際立つことになる。
【００１４】
（４）本発明の他の実施態様では、前記粘着部を前記基材の裏面全体に備えている。
【００１５】
この実施態様によると、粘着部の一部あるいは全体を用いて、どのような物にでも的確に貼り付けることができ、付箋あるいはラベルとして有効に使用することができる。
【００１６】
（５）本発明の更に他の実施態様では、前記図柄を形成する前記切り込みを一定ピッチで備えた長尺の原反シートから前記一定ピッチずつ切断して前記シート基材が得られる。
【００１７】
この実施態様によると、長尺の原反シートを切断して粘着シートを得ることができる。
【００１８】
（６）本発明の更に他の実施態様では、前記シート基材が、剥離台紙から剥離して得られる。
【００１９】
この実施態様によると、シート基材裏面の粘着部を汚損、あるいは、劣化させることなく運搬あるいは保管することができる。
【００２０】
（７）本発明に係る粘着シートの製造方法は、基材シートの裏面に剥離台紙を貼り付けた粘着シートの製造方法であって、シート基材原紙を剥離台紙に貼り合せる工程と、シート基材の外形の両端部及び前記シート基材の表面の図柄の外形に沿った切り込みを、ハーフカット加工によって形成する工程と、シート基材原紙と剥離台紙とに亘るフルカット加工を行って、シート基材の外形の両端部を除く部位を形成する工程と、前記フルカット加工に沿って不要部分を除去して梯子形に打ち抜いた剥離台紙の各横桟部位と両脇の縦桟部位に亘って各シート基材を貼り付け保持した粘着シートを得る工程とを含む。
【００２１】
本発明方法によると、シート基材の裏面の粘着部を汚損、あるいは、劣化させることなく運搬あるいは保管することができると共に、シート基材を端部から剥離しやすい状態でユーザーに提供することができる。
【発明の効果】
【００２２】
このように、本発明の粘着シートは、図柄を立体的に見せて装飾性に優れた外観をもたらし、付箋やラベルとしても有効に使用することができる。
【図面の簡単な説明】
【００２３】
【図１】シート基材の平面図である。
【図２】組上げ状態の外観斜視図である。
【図３】原反シートの斜視図である。
【図４】使用例を示す斜視図である。
【図５】別の使用例を示す斜視図である。
【図６】その他の使用例を示す斜視図である。
【図７】別実施例を示し、（ａ）はシート基材の平面図、（ｂ）は組上げ状態の外観斜視図である。
【図８】他の実施例を示し、（ａ）はシート基材の平面図、（ｂ）は組上げ状態の外観斜視図である。
【図９】その他の実施例を示し、（ａ）は原反シートの平面図、（ｂ）及び（ｃ）は組上げ状態の外観斜視図である。
【図１０】更に別の実施例を示し、（ａ）はシート基材の平面図、（ｂ）は組上げ状態の外観斜視図である。
【図１１】別実施例の原反シートを示す斜視図である。
【図１２】更に別の実施例を示し、（ａ）はシート基材の平面図、（ｂ）及び（ｃ）は組上げ状態の外観斜視図である。
【図１３】更に別の実施例における台紙付きシート素材を示す平面図である。
【図１４】上記別実施例における組上げ状態の外観斜視図である。
【図１５】台紙付きシート基材の製造工程を示す斜視図である。
【図１６】台紙付きシート基材の製造工程を示す斜視図である。
【図１７】台紙付きシート基材の製造工程を示す斜視図である。
【図１８】完成した台紙付きシート基材の斜視図である。
【発明を実施するための形態】
【００２４】
以下、本発明の一実施形態について図面を参照しながら説明する。
【００２５】
図１に、本発明の実施形態に係る粘着シートとなるシート基材１の平面図が、また、図２に、シート基材１を組上げてなる付箋Ａの外観斜視図がそれぞれ示されている。このシート基材１は、例えば、十数ｍｍ〜数十ｍｍの横幅を有する紙材あるいは樹脂シートで短冊状に形成されており、その裏面全体に再剥離可能な粘着部２（図３参照）が備えられている。
【００２６】
また、シート基材１の長手方向（以後、左右方向と呼称する）の中央には、鳥の平面形状をなぞった図柄部分３が、対称に対向して形成された左右一対の切込み４によって形成されている。また、左右の切り込み４は、その端部同士が小さい間隔をもって対向するよう配置形成されている。
【００２７】
本実施形態の粘着シートは、以上のように構成されており、付箋として使用する場合には、図２に示すように、シート基材１を、左右の切り込み４の間隔部位を通る折り線ａに沿って、その裏面が内側となるように山折りすると共に、シート基材１の両端部を折り線ｂに沿って左右外方に折り拡げる。
【００２８】
この折り込みによって、シート基材１は、左右一対の脚部を備えた山形の立体物になると共に、切り込み４で囲まれることで折り込み作用を受けない図柄部分３は、相対的に脚部から起き上がることになり、山形の頂部に鳥の図柄部分３が水平に浮き上がった立体構造の付箋Ａが組み上がる。
【００２９】
なお、山形ではなく、シート基材１の裏面同士を密着させて脚部を閉じた状態とし、両端部の折り線ｂに沿って左右外方に折り拡げて垂直に組上げてもよい。
【００３０】
図３に示すように、シート基材１は、長尺の原反シート５を所定長さに切断して得られるものであり、原反シート５は、再剥離可能な粘着部２を備えた裏面を内側にしてロール巻きしてユーザーに提供される。
【００３１】
そして、原反シート５は、図柄部分３をなす切り込み４が、シート長手方向に一定ピッチ毎に形成されると共に、一定長さのシート基材１を切断分離するためのミシン目６が一定ピッチで形成されており、ユーザーは、鋏やカッターを要することなく一定長さのシート基材１を原反シート５から切断分離することができる。
【００３２】
なお、ミシン目６に換えて型押し線を形成してもよいし、あるいは、シート基材１の幅方向の両端に、切り込みやノッチを長手方向に沿って所要のピッチで対向するように形成してもよい。
【００３３】
シート基材１の表面は、メモやメッセージを記入することが可能であり、その使用例が図４〜図５に示されている。
【００３４】
例えば、図４に示すように、上記のように組上げた付箋Ａを、書類７の表面に貼り付けておくことで、書類７の存在を、目立った立体構造の付箋Ａで容易に視認することができる。あるいは、他人に書類７の存在を視認させることができる。
【００３５】
また、図柄部分３が山形の頂部で立体的に浮き上がることで、目立つのみならず装飾性にも優れたものとなり、図５に示すように、謝意などのメッセージを記した付箋Ａを飲料缶８の上面に貼り付けて届けることで、受け取った相手は興味深く付箋Ａを見てメッセージを読むことができ、届けた人の誠意などが効果的に伝わる。
【００３６】
また、職場において席を離れる場合、上記のように組上げた付箋Ａに行き先などを記してデスク上やパソコンのディスプレー上端などに貼り付けておくことで、目立った構造の付箋Ａは容易に目に付きやすく、行き先などを的確に知らせることができる。
【００３７】
この粘着シートは、装飾性に優れ、アイキャッチ効果の高いラベルとしても使用することができる。ラベルとして使用する場合には、シート基材１の裏面の粘着部２は、再剥離可能とする必要はなく、粘着強度の高い粘着剤を用いることができる。
【００３８】
この場合、長尺の原反シートとして提供する場合には、シート基材１を剥離紙と共にロール状に巻回し、あるいは、シート基材１の表面側に離型剤を塗布してロール状に巻回すればよい。
【００３９】
ラベルとして使用する場合には、例えば、図６に示すように、瓶９の首部など、比較的曲率の小さい湾曲面にシート基材１を巻き付け貼着すると、切り込み４で囲まれることで巻き付け湾曲作用を受けない図柄部分３は、相対的に瓶表面から浮き上がることになり、立体的に装飾されたラベルとして機能する。
【００４０】
また、左右の脚部を長くして、図柄部分３を、瓶９の首部から離れた位置まで延ばすことによって、アイキャッチ効果を一層高めるようにしてもよい。
【００４１】
また、粘着シートは、瓶９に限らず、他の包装容器や商品の陳列棚の商品ラベルなどとして使用することができる。
【００４２】
上記図柄部分３は、左右対称の形状のものが好ましく、例えば、図７に示すように、四葉のクローバをなぞったものや、図８に示すように、蝶をなぞったものなど、任意のモチーフを選択することができる。
【００４３】
図柄部分３を非対称のものとすることもでき、例えば、図９に示すように、ウサギの耳をなぞった切り込み４を形成し、耳の根元、つまり、切り込み４の端部を通る折り線ａに沿ってシート基材１を山形に折り込むことで、図柄部分３としての耳が上方へ飛び出た可愛いウサギのキャラクタを備えた立体構造の付箋Ａやラベルを組上げることができる。
【００４４】
［他の実施形態］
本発明は、以下のような形態で実施することもできる。
【００４５】
（１）上記実施形態では、シート基材１の長手方向中央に位置する１本の折り線ａに沿って山折りする場合を示しているが、図１０に示すように、長手方向中央近傍の二本の折り線ａに沿って山折りして組上げる形態で実施することもできる。この場合、切り込み４の外側において、折り線ａを予め型押し形成しておくと山折り操作が容易となる。また、折り線ｂも予め型押し形成しておくと、付箋Ａの接着部を的確に折り出し形成することができる。
【００４６】
（２）上記実施形態では、シート基材１の裏面全体に粘着部２を備えているが、図１１に示すように、一定長さに切断されたシート基材１の両端部近傍に相当する部位の裏面にのみ粘着部２を備えた形態で実施することもできる。
【００４７】
（３）図柄部分３のモチーフとしては、動物、昆虫、花物などに限らず、図１２に示すように、風景をモチーフとすることもできる。この場合、シート基材１を中央の折り線ａに沿って折り曲げることで、折り線ａの一側方に位置する図柄部分３ａを起立させると共に、折り線ａの他側方に位置する図柄部分３ｂを、同図（ｂ）に示すように手前へ浮き上がらせ、かつ、屈折あるいは屈曲させて立体的に見せることで興味を引く図柄とすることができる。なお、図示のように、図柄部分３の裏面にも表面に対応する図柄を印刷しておくと、組上げた状態での裏側からの外観も興味深いものにすることができる。
【００４８】
（４）図１３に示すように、複数枚のシート基材１を剥離台紙１０に貼り付けて粘着テープとして提供することもできる。なお、この例では、各シート基材１の図柄部分３は各種の動物（猫、猪、羊）がモチーフとされており、図柄部分３の外形に沿った切り込み４の内側に折出し用の切り込み１１を形成することで、図１４に示すように、動物（猫）の耳部３'を突出させた立体的な図柄部分３を浮き上がらせることができる。また、動物の図柄部分３における頭部の先に、メセージ記載用の空欄１２を備えておくことで、目立ちやすく面白いメセージ伝達用の付箋Ａとして使用することができる。
【００４９】
（５）シート基材１の複数枚を剥離台紙１０に貼り付けて提供する場合の、台紙付きシート基材の製造工程が図１５〜図１８に示されている。
【００５０】
先ず、図１５に示すように、表面に複数の図柄部分３が一定ピッチで並列印刷されると共に、裏面全体に粘着部２が備えられた大判のシート基材原紙１Ａを剥離台紙１０に貼り付ける。次に、図１６に示すように、シート基材原紙１Ａの表面から、ｘ線（実線）で示すフルカット加工とｙ線（破線）で示すハーフカット加工を施す。また、図柄部分３の外形に沿った一対の切り込み４も同時にハーフカット加工により形成する。
【００５１】
その後、図１７に示すように、シート基材原紙１Ａの周部不要部分１Ａ'を剥離除去すると共に、隣接するシート基材１の間で細長い矩形にフルカットされた中間不要部分１５を除去する。これによって、図１８に示すように、梯子形に打ち抜かれた剥離台紙１０における各横桟部位と両脇の縦桟部位とに亘ってシート基材１が貼り付け保持された粘着シートとして台紙付きシート基材Ｂが得られる。
【００５２】
なお、上記台紙付きシート基材Ｂの製造工程は、枚葉のシート基材原紙１Ａ及び剥離台紙１０を例示して説明したが、ロール状に巻回された長尺のシート基材原紙１Ａ及び剥離台紙１０を用いるとともに、上記工程を連続化することにより、長尺の連続体の台紙付きシート基材Ｂを得ることもできる。
【００５３】
このように台紙付きで提供された台紙付きシート基材Ｂは、梯子形となっているので、隣接するシート基材１の間で折って、コンパクトにまとめることが容易である。長尺の連続体の台紙付きシート基材Ｂの場合には、ロール状に巻回しても良い。また、その梯子形を形成する一連の縦桟部位において裏面側に屈曲することで、シート基材端部を剥離台紙１０から剥離して浮き上がらせることができ、シート基材１を１枚ずつ容易にめくり取ることができる。
【００５４】
また、シート基材１をめくり取った剥離台紙１０は梯子形に露出して残るので、露出残存した剥離台紙部分の縦残部位の切断除去を容易に行うことができる。つまり、図１３に示すように、全紙の剥離台紙１０にシート基材１を貼り付け保持した場合では、シート基材１がめくり取られた剥離台紙部分は全幅で残存するので、邪魔に残存する台紙部分を除去するには鋏やカッタなどの工具が必要となるが、梯子型に残存した剥離台紙部分は、両端の幅狭い縦桟部位を切断するだけでよいので、工具を用いなくても簡単に残存した台紙部分を切断除去することができるのである。
【符号の説明】
【００５５】
１              シート基材
１Ａ            シート基材原紙
２              粘着部
３              図柄部分
４              切り込み
５              原反シート
６              ミシン目
１０            剥離台紙
【図１】
2016011349.tif 000003
【図２】
2016011349.tif 000004
【図３】
2016011349.tif 000005
【図４】
2016011349.tif 000006
【図５】
2016011349.tif 000007
【図６】
2016011349.tif 000008
【図７】
2016011349.tif 000009
【図８】
2016011349.tif 000010
【図９】
2016011349.tif 000011
【図１０】
2016011349.tif 000012
【図１１】
2016011349.tif 000013
【図１２】
2016011349.tif 000014
【図１３】
2016011349.tif 000015
【図１４】
2016011349.tif 000016
【図１５】
2016011349.tif 000017
【図１６】
2016011349.tif 000018
【図１７】
2016011349.tif 000019
【図１８】
2016011349.tif 000020